(57)【要約】      （修正有）【課題】防湿、防錆効果を達成し、予備空気針をグリップ内部に収納可能な空気ポンプ構造を提供する。【解決手段】筒体１０の前端に空気針接続口を設け、ＡＢＳ樹脂のネジ孔部品を設けて、空気針のネジ紋に合わせ、異なる型式、規格の予備空気針を選択して交換可能とする。筒体の後部には往復操作するピストン桿２０を挿入してその後端に中空構造のＴ型グリップ２２を結合し、その開口２３を着脱可能に蓋体２５で閉じ、グリップ内部空間に蓋体の内縁面に当節接する補強凸片２６を設けて補強し、グリップ内部空間の中間区域に少なくとも一個以上の復数の中空部を形成して予備の空気針３０．３０‘を収納する。【選択図】図７
0003212172.tif 000002
【実用新案登録請求の範囲】
【請求項１】
筒体を備え、該筒体前端には空気針接続口を設置し、空気針接続口内には空気針のネジ紋に合わせてＰＯＭ（ポリアセタール）材質もしくはＡＢＳ（ＡＢＳ樹脂）材質の孔部品を設けて、異なる型式、規格の予備空気針を交換可能とし、
筒体の後部にＴ型グリップを設けたピストン桿を挿入して、該Ｔ型グリップを握ってピストン桿を往復操作することにより空気を圧縮する空気ポンプ構造において、
上記Ｔ型グリップは、開口を設けた中空構造として蓋体で着脱可能に被覆し、該中空構造により形成されたグリップ内部空間には該蓋体内面に当接して補強する復数の強凸片を設けると共に、グリップ内部空間の中間区域には一個以上の中空部を設けて、該中空部及びその傍側の隙間空間に空気針を收納可能としたことを特徴とする空気ポンプ構造。
【請求項２】
前記Ｔ型グリップは、前記ピストン桿と接続する部位を人体工学に基づき滑らかな湾曲度で形成したことを特徴とする請求項１記載の空気ポンプ構造。
【請求項３】
前記Ｔ型グリップの開口の周辺縁には前記蓋体を嵌合する嵌入溝を形成して着脱可能としたことを特徴とする請求項１記載の空気ポンプ構造。
【請求項４】
前記Ｔ型グリップの開口に被覆設置した蓋体は、透明材質で形成したことを特徴とする請求項１記載の空気ポンプ構造。
【請求項５】
前記Ｔ型グリップの開口に被覆設置した蓋体は、不透明材質で形成したことを特徴とする請求項１記載の空気ポンプ構造。
【請求項６】
前記Ｔ型グリップの開口に被覆設置した蓋体は、半透明材質で形成したことを特徴とする請求項１記載の空気ポンプ構造。
【請求項７】
前記Ｔ型グリップの開口に被覆設置した蓋体は、彩色したことを特徴とする請求項１記載の空気ポンプ構造。
【請求項８】
前記筒体表面は、図柄や文をプリントした一層の接着フィルムで被覆するか、もしくは直接図柄や文を筒体表面にプリントしたことを特徴とする請求項１記載の空気ポンプ構造。
【請求項９】
前記ピストン桿は、その桿体外周に凹溝を形成すると共に該凹溝もしくは桿体表面もしくは両者に図柄もしくは文字をプリントしたことを特徴とする請求項１記載の空気ポンプ構造。
【請求項１０】
前記ピストン桿は、その桿体外周に凹溝を形成擦ると共に、該凹溝内に別に作成した補強条（棒）を設置したことを特徴とする請求項１記載の空気ポンプ構造。
【請求項１１】
前記筒体の後端には一対の半円型の蓋片を併合した構造の筒蓋により被覆するものとし、
該蓋片の併合側には前記ピストン桿の桿体を挿通する半径の小半円切欠孔を設けると共に、その下部外側縁には該筒体の内壁に嵌合する半円弧嵌合片を設けて、該ピストン桿を一対の蓋片を併合した該筒蓋に挿通して該筒蓋を筒体後端に設置し、該嵌合片を筒体に嵌合固定して被覆することを特徴とする請求項１記載の空気ポンプ構造。
【考案の詳細な説明】
【技術分野】
【０００１】
本考案は、空気ポンプ構造に関するもので、主に一般にボール類に対する空気チャージの手動式簡易空気ポンプである。それは主に筒体を備える。筒体前端には空気針接続口を設置し、空気針接続口内にはＰＯＭ（ポリアセタール）材質もしくはＡＢＳ（ＡＢＳ樹脂）材質を採用したネジ孔部品を設置して空気針のネジ紋に合わせるのに用い、防湿、防錆効果を達成する。
ボール類のチャージバルブ孔の種類に対して異なる型式、規格の予備空気針を選択して合わせ、交換できる。筒体の後部には往復操作するピストン桿を挿入し、該ピストン桿の後端のグリップに形成した構造空間によって、予備空気針を収納してグリップと一体に整合し、筒体とピストン桿表面に広告図柄や文を付加することで、産業利用性と実用性を高める。
【背景技術】
【０００２】
バスケットボール、サッカー、バレーボール、ビーチボール、風船等インフレターブル式ボール類は、内部に空気を注入してボールを維持するもので、空気の充填圧力に拠って、ボールの硬度を決めたり、調整する。しかし内部に注入した気体はしばらくすると、空気が漏れ、ボールの硬度が不足したり柔らかくなってしまったりする。そのため、この種のボールの予定部位には通常チャージバルブ孔が設置され、そこに空気針を挿し、空気ポンプで空気をチャージし、元のボール空気圧に回復させる。
【０００３】
この種のボールの空気チャージ量は多くないので、一般的には手動式簡易空気ポンプで空気チャージする。該これらの空気ポンプは、通常手で握るのに適した円筒形状の筒体を備え、筒体の前端には空気針接続口を形成し、空気針接続口内には、金属材のネジ孔部品を設置する。空気針を螺合し、筒体の後部には往復操作するピストン桿を嵌合し、ピストン桿の後端はＴ字グリップを一体成型もしくは係合して設置し、ピストン桿が往復作動して気体が空気針を経てボールに注入する際、制御するのに用い、予定の空気チャージ機能を達成する。
【先行技術文献】
【特許文献】
【０００４】
【特許文献１】特開２００６−２５５２７０号公報
【考案の概要】
【考案が解決しようとする課題】
【０００５】
解決しようとする問題点として、各種ボール類には差異があるため、そのチャージバルブ口にもそれぞれ異なる型式があり、適用する空気針も異なる。そのため、使用者は多種の規格、型式の空気針を用意しなければならず、それでやっと空気ポンプが異なるボール類の空気チャージの必要を満たすことができる。この状況では、たくさんの予備空気針を用意しておかなければならない問題がある。一般には収納袋の中に保管しておくが、これらの收納袋は空気ポンプと一体ではないため、予備空気針の置き場所を忘れてしまうという問題があり、場合によっては予備空気針を失くしてしまい、ボールに空気チャージしようとする時、空気針の置き場所が見つけられずに空気チャージ作業ができない事態が発生することもあり、解決を求められることが必要である。
【０００６】
従来の空気ポンプの筒体前端には空気針接続口が設置され、空気針接続口内には金属材のネジ孔部品を設置するため、この金属材のネジ孔部品は塩分に当たり、湿度にさらされてサビが発生する欠点がある。更に、予備空気針の収納箇所が設けられていないため、針の携帯を忘れたり、失くしたりする問題がある。
【課題を解決するための手段】
【０００７】
本考案は、ボール類に対して空気チャージを簡単に行う設備で、筒体を備え、該筒体前端には空気針接続口を設置し、空気針接続口内にはＰＯＭ（ポリアセタール）材質もしくはＡＢＳ（ＡＢＳ樹脂）材質を採用したネジ孔部品を設置し、空気針のネジ紋に合わせる。
ボール類のチャージバルブ孔の種類に対して異なる型式、規格の予備空気針を選択して合わせ、交換できる。筒体の後部には往復操作するピストン桿を挿入し、気体を空気針を経てボールに注入するのに用い、操作を便利にするため、ピストン桿の後端にＴ型グリップを結合する。該Ｔ型グリップは人体工学に基づき設計し、手で握るのに適した形態であり、且つ該グリップは中空構造で後部に開口を成形し、取り外し出来る蓋体で閉じる。グリップ内部空間には復数の当て止めできる蓋体の内縁面に補強凸片を設置し、蓋体を被覆した後の全体構造強度を維持し、押したり引っ張るのに便利である。その他、グリップ内部空間の中間区域に少なくとも一個以上の復数の中空部を形成し、そこに予備の空気針を収納する。また、筒体及びピストン桿表面に適する形式で文字もしくは図案を付加した広告を添付することを最も主要な特徴とする。
【考案の効果】
【０００８】
本考案の空気ポンプ構造は、防湿、防錆効果を達成し、予備空気針をグリップ内部に整合して収納し、収納や携帯及び使用に便利で実用的であるという利点がある。
【図面の簡単な説明】
【０００９】
【図１】本考案の実施例の平面構造指示図である。
【図２】本考案の実施例の立体構造指示図である。
【図３】本考案の実施例の立体分解指示図である。
【図４】本考案の実施例で空気針を合わせた構造断面指示図である。
【図５】本考案の実施例でＴ型グリップ内に２個の予備空気針を納置した構造断面指示図である。
【図６】本考案の実施例で空気針、Ｔ型グリップ、２個の予備空気針の立体構造指示図である。
【図７】本考案の実施例で同時に３個の予備空気針を納置した立体構造指示図である。
【図８】本考案の実施例で同時に別造形の３個の予備空気針を納置した立体構造指示図である。
【図９】本考案の実施例でＴ型グリップ内に３個の予備空気針を納置した構造断面指示図である。
【図１０】本考案の実施例で３個の空気針を納置した別角度から見た構造關係指示図である。
【図１１】本考案の実施例でインフレターブル式ボールの空気針の平面構造指示図である。
【考案を実施するための形態】
【００１０】
本考案者は、研究開発を行い、空気ポンプの構造に対して新規の規格を作り、筒体前端空気針接続口のネジ孔部品に防湿、防錆の機能を備え、及び予備空気針の収納機能を備え、空気ポンプと整合して一体にした。
【００１１】
予備空気針と空気ポンプ整合の目的を達成するため、本考案は構造上、筒体を備える。筒体前端には空気針接続口を設置し、空気針接続口内にはＰＯＭ（ポリアセタール）材質もしくはＡＢＳ（ＡＢＳ樹脂）材質を採用したネジ孔部品を設置して空気針のネジ紋に整合させ、防湿、防錆効果を達成する。ボール類のチャージバルブ孔の種類に対して異なる型式、規格の予備空気針を選択して取り付け、交換できる。筒体の後部には往復操作するピストン桿を挿入する。このピストン桿後端のＴ型グリップは中空構造であり、その後部には開口を成形し、取り外し可能な蓋体で閉じ、グリップ内部空間には復数の当て止めできる蓋体内縁面の補強凸片を設置して、蓋体覆合後の全体構造強度を維持する。他に、グリップ内部空間の中間区域に少なくとも一個以上の復数の中空部を形成し、そこに予備の空気針を収納し、整理して便利性と実用性を達成する。更に、空気ポンプに広告マーケティングを備えて付加価値を提供する。本考案は、筒体及びピストン桿表面に適する形式で文字もしくは図柄の広告を付加し、全体的な産業利用性と実用性を達成する。
【００１２】
本考案の空気ポンプは主に筒体を備える。筒体前端には空気針接続口を設置し、空気針接続口内にはＰＯＭ（ポリアセタール）材質もしくはＡＢＳ（ＡＢＳ樹脂）材質を採用したネジ孔部品を設置して空気針のネジ紋に整合させ、防湿、防錆効果を達成する。ボール類のチャージバルブ孔の種類に対して異なる型式、規格の予備空気針を選択して、交換できる。筒体の後部には往復操作するピストン桿を挿入する。このピストン桿後端グリップの空間構造によって、予備の空気針を有効に収納しながら、使用操作には影響せず、各種ボール類の空気チャージの必要に応え、便利性と実用性を達成する。その他、筒体及びピストン桿表面に広告の図や文を付加することで、広告マーケティング機能を備え、付加価値を大幅に高める。
【実施例】
【００１３】
本考案の構造、技術手段及び機能に依る達成に関し、図式と共に実施例を挙げて具体的に説明する。
【００１４】
図１から図１１に示すとおり、本考案の空気ポンプは、構造上、筒体１０を備え、筒体１０前端には空気針接続口１１を設置し、空気針接続口１１内にはＰＯＭ（ポリアセタール）材質もしくはＡＢＳ（ＡＢＳ樹脂）材質を採用したネジ孔部品１２設置し、空気針３０のネジ紋と整合させて、防湿、防錆効果を達成する。
ボール類のチャージバルブ孔の種類の異なる型式、規格の予備空気針３０′選択して交換でき、筒体１０の後部には往復操作するピストン桿２０を嵌合し、ピストン桿２０の往復作動によって気体が空気針３０を通してボールに注入される。操作を便利にするため、ピストン桿２０の後端にはＴ型グリップ２２を結合もしくは一体成型して設置し、手で握って力をかけ、ピストン桿２０の押し引き圧縮作動を操作し、空気ポンプの基本機能アーキテクチャを構成する。
【００１５】
該Ｔ型グリップ２２は、人体工学に基づいて設計され、その前縁とピストン桿２０接触部位を弧を描いた角度で手で握りやすい形態にする。且つ該グリップ２２は、中空構造で後部は開口２３を形成する（図６〜８参照）。開口２３周辺縁には嵌入溝２４を形成し、これとは別体として形成した蓋体２５を被覆して、該蓋体２５を取り外し可能とする。
該蓋体２５は、透明、不透明、もしくは半透明材質で製造し、蓋体２５をその他の色で彩色してもよい。グリップ２２内部空間には復数の前述の蓋体２５内縁面で当接する補強凸片２６を設けて蓋体２５を被せた後の全体構造強度を維持することに拠って、押したり引いたりしやすくする。
他にグリップ２２内部の空間の中間区域には少なくとも一個以上の復数の中空部２７を形成し、該復数の中空部２７及びその傍側の隙間空間に、予備の空気針３０′を收納して、全体の便利性と実用性を達成し、空気チャージに適用する空気針３０、３０′の選択使用が可能とされる。
【００１６】
前述の筒体１０表面に一層の図柄や文字をプリントした接着フィルムで被覆するか、もしくは図柄や文字を筒体１０表面に直接プリントし、マーケティング広告用途に用いる。
その他、前述のピストン桿２０はその桿体外周に凹溝２１を形成して使用材料を低減する。該凹溝２１もしくは桿体表面もしくは両者にはプリント広告マーケットの図案もしくは文字を規格し、これらに拠って、本考案の空気ポンプを実用機能に用いる他に、更に広告機能を備えることができ、良好な産業利用性及び実用価値を備える。
必要時には前述のピストン桿２０の凹溝２１内に別に製造した補強条（棒）２１１を嵌入し、ピストン桿２０の構造強度を補強するのに用い、使用寿命を延長する。
【００１７】
その他、前述の筒体１０にはその後端の筒蓋１３に一対の半円型の蓋片１３１、１３２構造を設けて、両蓋片１３１、１３２の併合側にピストン桿２０桿体に合わせて半径が小半円の切欠孔１３３、１３４を設ける。
そして、その外側縁下部には双方を併合すると筒体１０の内径壁に嵌合する半円弧の嵌合片１３５、１３６を延長して設け、ピストン桿２０を両蓋片１３１、１３２を合わせて構成した筒蓋１３に嵌合して、該筒蓋１３で筒体１０後端を塞いだ後、前述の嵌合片１３５、１３６と筒体１０内径の嵌合固定片１０１によって緊密に嵌合することによって、煩雑な接着固定作業を省くことができ、方向にこだわることなく任意に合わせることができ、簡単で便利である。
【００１８】
つまり、本考案の空気ポンプは、筒体を備え、筒体前端には空気針接続口を設置する。空気針接続口内にはＰＯＭ（ポリアセタール）材質もしくはＡＢＳ（ＡＢＳ樹脂）材質を採用したネジ孔部品を設置して、空気針のネジ紋に整合して、防湿、防錆効果を達成し、ボール類のチャージバルブ孔の種類に対して異なる型式、規格の予備空気針を選択して合わせ、交換できる。筒体の後部には往復操作するピストン桿を挿入し、ピストン桿後端のＴ型グリップ内部空間を区画することで、予備空気針をグリップ内部に整列して収納し、収納や携帯及び使用に便利で実用的であり、公知の同類の予備空気針の収納問題を改善する。
【００１９】
以上を総合すると、本考案の空気ポンプによって、筒体前端に空気針接続口を形成し、空気針接続口内に金属材のネジ孔部品を設置することで、この金属材のネジ孔部品が湿度や塩分に当たって錆びる欠点を解決し、予備空気針の収納の必要に応えることで、予備空気針携帯を忘れたり、失くしたりする問題を解決する。
空気針接続口のネジ孔部品の防湿、防錆の機能も備え、ボール類のチャージバルブ孔の種類に対して異なる型式、規格の予備空気針を選択して合わせて交換できる。筒体の後部には往復操作するピストン桿を挿入し、ピストン桿後端のＴ行グリップ内部空間を規格することで予備空気針収納の必要を満たし、広告マーケティング機能を付加し、公知の欠点を改善することから、優れた進歩性により実用新案登録を申請する。しかしながら、本考案は一実施例にすぎず、本考案の請求範囲を制限するものではなく、本考案に基づく同等の変化及び修飾はすべて本考案の請求範囲に含まれるものとする。
【産業上の利用可能性】
【００２０】
その他、筒体及びピストン桿の表面に文字もしくは図柄を付加した広告を採用することで、広告マーケティング効果を備え、それによって産業上の利用可能性と実用価値を備える。
【符号の説明】
【００２１】
１０        筒体            
１０１        嵌合固定片
１１        空気針接続口
１２        ネジ孔部品
１３        筒蓋
１３１        蓋片
１３２        蓋片
１３３        切欠孔
１３４        切欠孔
１３５        嵌合片
１３６        嵌合片
２０        ピストン桿
２１        凹溝            
２１１        補強条（棒）
２２        グリップ
２３        開口            
２４        嵌入溝
２５        蓋体            
２６        補強凸片
２７        中空部  
３０        空気針
３０′      空気針
４０        インフレターブル式ボールの空気針
【図１】
0003212172.tif 000003
【図２】
0003212172.tif 000004
【図３】
0003212172.tif 000005
【図４】
0003212172.tif 000006
【図５】
0003212172.tif 000007
【図６】
0003212172.tif 000008
【図７】
0003212172.tif 000009
【図８】
0003212172.tif 000010
【図９】
0003212172.tif 000011
【図１０】
0003212172.tif 000012
【図１１】
0003212172.tif 000013
【手続補正書】
【提出日】平成29年6月27日(2017.6.27)
【手続補正１】
【補正対象書類名】実用新案登録請求の範囲
【補正対象項目名】全文
【補正方法】変更
【補正の内容】
【実用新案登録請求の範囲】
【請求項１】
筒体を備え、該筒体前端には空気針接続口を設置し、空気針接続口内には空気針のネジ紋に合わせてＰＯＭ（ポリアセタール）材質もしくはＡＢＳ（ＡＢＳ樹脂）材質の孔部品を設けて、異なる型式、規格の予備空気針を交換可能とし、
筒体の後部にＴ型グリップを設けたピストン桿を挿入して、該Ｔ型グリップを握ってピストン桿を往復操作することにより空気を圧縮する空気ポンプ構造において、
上記Ｔ型グリップは、開口を設けた中空構造として蓋体で着脱可能に被覆し、該中空構造により形成されたグリップ内部空間には該蓋体内面に当接して補強する復数の補強凸片を設けると共に、グリップ内部空間の中間区域には一個以上の中空部を設けて、該中空部及びその傍側の隙間空間に空気針を収納可能としたことを特徴とする空気ポンプ構造。
【請求項２】
前記Ｔ型グリップは、前記ピストン桿と接続する部位を人体工学に基づき滑らかな湾曲度で形成したことを特徴とする請求項１記載の空気ポンプ構造。
【請求項３】
前記Ｔ型グリップの開口の周辺縁には前記蓋体を嵌合する嵌入溝を形成して着脱可能としたことを特徴とする請求項１記載の空気ポンプ構造。
【請求項４】
前記Ｔ型グリップの開口に被覆設置した蓋体は、透明材質で形成したことを特徴とする請求項１記載の空気ポンプ構造。
【請求項５】
前記Ｔ型グリップの開口に被覆設置した蓋体は、不透明材質で形成したことを特徴とする請求項１記載の空気ポンプ構造。
【請求項６】
前記Ｔ型グリップの開口に被覆設置した蓋体は、半透明材質で形成したことを特徴とする請求項１記載の空気ポンプ構造。
【請求項７】
前記Ｔ型グリップの開口に被覆設置した蓋体は、彩色したことを特徴とする請求項１記載の空気ポンプ構造。
【請求項８】
前記筒体表面は、図柄や文をプリントした一層の接着フィルムで被覆するか、もしくは直接図柄や文を筒体表面にプリントしたことを特徴とする請求項１記載の空気ポンプ構造。
【請求項９】
前記ピストン桿は、その桿体外周に凹溝を形成すると共に該凹溝もしくは桿体表面もしくは両者に図柄もしくは文字をプリントしたことを特徴とする請求項１記載の空気ポンプ構造。
【請求項１０】
前記ピストン桿は、その桿体外周に凹溝を形成すると共に、該凹溝内に別に作成した補強条（棒）を設置したことを特徴とする請求項１記載の空気ポンプ構造。
【請求項１１】
前記筒体の後端には一対の半円型の蓋片を併合した構造の筒蓋により被覆するものとし、
該蓋片の併合側には前記ピストン桿の桿体を挿通する半径の小半円切欠孔を設けると共に、その下部外側縁には該筒体の内壁に嵌合する半円弧嵌合片を設けて、該ピストン桿を一対の蓋片を併合した該筒蓋に挿通して該筒蓋を筒体後端に設置し、該嵌合片を筒体に嵌合固定して被覆することを特徴とする請求項１記載の空気ポンプ構造。